(57)【特許請求の範囲】
【請求項１】
内部抽選処理を含む遊技に係る制御を実行するとともに予め定められたコマンドを生成して送信するメイン基板と、前記コマンドを受けてこれに基づき演出に関する処理を実行するサブ基板と、前記サブ基板の制御のもとで所定の表示を行う表示デバイスとを備え、
予め定められたタイミングで前記メイン基板は前記表示デバイスに関する表示情報のコマンドを生成して前記サブ基板へ送信し、前記サブ基板は当該コマンドに基づき前記表示デバイスに表示を行わせるものであり、
前記メイン基板は、生成した前記コマンドを一時的に蓄積するコマンドスタックを含み、
前記サブ基板は、電源オフ時において、前記表示デバイスに関する前記表示情報を保持するバックアップメモリを含み、
電源オフの際において、前記メイン基板は、予め定められたデータの退避処理を行うとともに、前記サブ基板は、前記表示デバイスに関する前記表示情報を前記バックアップメモリに退避させ、
電源オンの際において、前記メイン基板は、予め定められた復帰処理を行い、これにより生成したコマンドを前記コマンドスタックに蓄積し、蓄積した前記コマンドを前記サブ基板へ送信するとともに、前記サブ基板は、前記バックアップメモリから前記表示デバイスに関する前記表示情報を読み出し、これに基づき前記表示デバイスに表示を行わせ、
前記メイン基板は、退避させたデータが消去されずに電源オンされたとき、前記復帰処理において前記表示デバイスに関する前記表示情報のコマンドを生成しないが、遊技機の動作に係る設定変更が行われたときを含む、電源オンの際に退避させたデータが消去されたときは、前記復帰処理において前記表示デバイスに関する前記表示情報のコマンドを生成することを特徴とする遊技機。
【請求項２】
内部抽選処理を含む遊技に係る制御を実行するとともに予め定められたコマンドを生成して送信するメイン基板と、前記コマンドを受けてこれに基づき演出に関する処理を実行するサブ基板と、前記サブ基板の制御のもとで所定の表示を行う表示デバイスとを備え、
予め定められたタイミングで前記メイン基板は前記表示デバイスに関する表示情報のコマンド（以下「表示情報コマンド」）を生成して前記サブ基板へ送信し、前記サブ基板は当該コマンドに基づき前記表示デバイスに表示を行わせるものであり、
前記メイン基板は、生成した前記コマンドを一時的に蓄積するコマンドスタックを含み、
前記サブ基板は、電源オフ時において、前記表示デバイスに関する表示情報を保持するバックアップメモリを含み、
電源オフの際において、前記メイン基板は、予め定められたデータの退避処理を行うとともに、前記サブ基板は、前記表示デバイスに関する前記表示情報を前記バックアップメモリに退避させ、
電源オンの際において、前記メイン基板は、予め定められた復帰処理を行い、これにより生成したコマンドを前記コマンドスタックに蓄積し、蓄積した前記コマンドを前記サブ基板へ送信するとともに、前記サブ基板は、前記バックアップメモリから前記表示デバイスに関する前記表示情報を読み出し、これに基づき前記表示デバイスに表示を行わせ、
前記メイン基板は、退避させたデータが消去されずに電源オンされたとき、前記復帰処理において前記表示デバイスに関する前記表示情報コマンドを生成しないことを特徴とする遊技機。
【請求項３】
前記メイン基板の前記復帰処理において生成しない前記表示デバイスに関する前記表示情報の前記コマンドは、ベットされた遊技媒体の数を表示させるもの、又は前記遊技機の内部に貯留されている遊技媒体の数を表示させるものの少なくともいずれかであることを特徴とする請求項２記載の遊技機。
【請求項４】
前記メイン基板は、前記復帰処理の後に、前記表示デバイスに関する前記表示情報のコマンドを生成し、これを前記サブ基板へ送信し、
前記サブ基板は、前記メイン基板から受けた前記コマンドによる前記表示デバイスに関する前記表示情報を、前記バックアップメモリに退避させた前記表示デバイスに関する前記表示情報と比較し、両者が一致しないとき、異常と判定することを特徴とする請求項２又は請求項３記載の遊技機。
【発明の詳細な説明】
【技術分野】
【０００１】
この発明は、スロットマシンなどの遊技機に関する。
【背景技術】
【０００２】
従来から外周面に図柄が配列された複数の回胴を備えた遊技機（回胴式遊技機、スロットマシン）が知られている。この種の遊技機は、遊技媒体（メダル）に対して一定の遊技価値を付与し、このような遊技媒体を獲得するための遊技を行うものである。また、この種の遊技機は、遊技者の回転開始操作を契機として、内部抽選を行うとともに複数の回胴の回転を開始させ、遊技者の停止操作契機として、内部抽選の結果に応じた態様で複数の回胴を停止させる制御を行っている。そして、遊技の結果は、複数の回胴が停止した状態における入賞判定ライン上に表示された図柄組合せによって判定され、遊技の結果に応じてメダル等の払い出しなどが行われる。
【０００３】
遊技機は、内部抽選処理を含む遊技に係る制御を実行するとともに予め定められたコマンドを生成して送信するメイン基板と、前記コマンドを受けてこれに基づき所定の処理を実行するサブ基板と、サブ基板により制御される液晶表示装置などの演出手段とを備える。メイン基板は、サブ基板へ、メダルの投入やベットボタン操作、スタートレバー操作、ストップボタン操作などの各種遊技操作を行ったときにコマンドを送信するとともに、内部抽選の結果を報知したり各種演出を行うときにもコマンドを送信する。
【先行技術文献】
【特許文献】
【０００４】
【特許文献１】特開２００７−１９０１９５号公報  サブ基板は、液晶表示装置等のデバイスに送信したコマンド等をバックアップするようにした。これにより、電源断後の電源再投入時に液晶表示装置等のデバイスがスムーズに復帰できる。
【特許文献２】特開２００７−１６７２５２号公報  サブ基板でバックアップをとるが、バックアップ電源はメイン基板経由となっているため、メイン基板が不正に交換されるとサブ基板のバックアップがなくなる。このとき、エラーとして不正な基板交換があったことを報知する。
【発明の概要】
【発明が解決しようとする課題】
【０００５】
ところで、メイン基板からサブ基板へコマンドを送信するに際して、メイン基板で生成したコマンドを一旦スタック（バッファ）に蓄積し、所定のタイミングで（例えば処理に余裕ができたときに）送信するということが行われている。スタックを用いることにより即座に処理しなければならないという制約を緩和でき、メイン基板のＣＰＵの負荷を軽減することができるばかりでなく、プログラムの作成の点でも有利である。
【０００６】
スタックの容量が大きいほど多くのコマンドを蓄積することができ、コマンド送信処理の点では有利であるが、コマンドのスタックは、実際には、メインメモリ（ＲＡＭ）の一部を使用して構成されるので、スタックを大きくするとその分プログラムで使用できるメモリ容量が小さくなるという問題を生じる。他方、スタックの容量が不十分であると、スタックにコマンドを蓄積することができなくなり（スタックオーバーフロー）、最悪の場合、コマンドが失われ、遊技機の動作（特にサブ基板に関連する処理）に異常をきたすという問題が生じる。したがって、スタックの容量は必要かつ十分な範囲で最小限であることが望ましい。
【０００７】
スタックの容量を最小にすることは、遊技機において特に重要である。遊技機のメイン基板などのハードウエアについては法令による規制がかけられており、使用できるメモリ容量には上限がある。もし、スタックの容量を大きくすると、使用可能なメモリ容量が小さくなり、抽選入賞判定処理などの遊技処理に支障が生じるおそれがある。
【０００８】
必要最小限のスタックの容量を見積もるための技術的検討を行ったところ、最も多くのコマンドがスタックされるタイミングは電源投入時、より具体的には設定変更時ではない電源投入であって、しかもメモリクリアされておらず電源断直前の状態に復帰する「正常な」電源投入時であることがわかった。このとき、電源断直前の状態に復帰するためのコマンドが多数生成され、それらがスタックに蓄積されるのである。
【０００９】
したがって、電源投入時においてスタックされるコマンドを減らすことがスタックの容量の削減につながり、遊技処理に使用可能なメモリ容量を増加させ、これによりＣＰＵの負荷やプログラム作成時の負担を軽減することができるようになる。
【００１０】
本発明は上記課題に鑑みてなされたもので、スタックの容量を削減でき、ＣＰＵの動作やプログラム作成上有利な遊技機を提供することを目的とする。
【課題を解決するための手段】
【００１１】
この発明に係る遊技機は、内部抽選処理を含む遊技に係る制御を実行するとともに予め定められたコマンドを生成して送信するメイン基板と、前記コマンドを受けてこれに基づき演出に関する処理を実行するサブ基板と、前記サブ基板の制御のもとで所定の表示を行う表示デバイスとを備え、
予め定められたタイミング（例えば、メダルが投入されたとき、ＢＥＴボタンが押下されたときなどのメダルに関する情報が更新されたとき）で前記メイン基板は前記表示デバイスに関する表示情報のコマンドを生成して前記サブ基板へ送信し、前記サブ基板は当該コマンドに基づき前記表示デバイスに表示を行わせるものであり、
前記メイン基板は、生成した前記コマンドを一時的に蓄積するコマンドスタックを含み、
前記サブ基板は、電源オフ時において、前記表示デバイスに関する表示情報を保持するバックアップメモリを含み、
電源オフの際において、前記メイン基板は、予め定められたデータの退避処理を行うとともに、前記サブ基板は、前記表示デバイスに関する前記表示情報を前記バックアップメモリに退避させ、
電源オンの際において、前記メイン基板は、予め定められた復帰処理を行い、これにより生成したコマンドを前記コマンドスタックに蓄積し、蓄積した前記コマンドを前記サブ基板へ送信するとともに、前記サブ基板は、前記バックアップメモリから前記表示デバイスに関する前記表示情報を読み出し、これに基づき前記表示デバイスに表示を行わせ、
前記メイン基板の前記復帰処理では、前記表示デバイスに関する表示情報のコマンドを生成しないものである。
前記メイン基板の前記復帰処理において生成しない前記表示デバイスに関する表示情報の前記コマンドは、例えば、ベットされた遊技媒体の数を表示させるもの、又は前記遊技機の内部に貯留されている遊技媒体の数を表示させるものの少なくともいずれかである。
前記メイン基板は、退避させたデータが消去されずに電源オンされたとき、前記復帰処理において前記表示デバイスに関する表示情報のコマンドを生成しないが、遊技機の動作に係る設定変更が行われたときを含む、電源オンの際に退避させたデータが消去されたときは、前記復帰処理において前記表示デバイスに関する表示情報のコマンドを生成するようにしてもよい。
【００１２】
前記メイン基板は、前記復帰処理の後に、前記表示デバイスに関する表示情報のコマンドを生成し、これを前記サブ基板へ送信し、
前記サブ基板は、前記メイン基板から受けた前記コマンドによる前記表示デバイスに関する表示情報を、前記バックアップメモリに退避させた前記表示デバイスに関する前記表示情報と比較し、両者が一致しないとき、異常と判定するようにしてもよい。
【発明の効果】
【００１３】
本発明によれば、電源断時に、サブ基板で表示情報をバックアップし、電源投入時に、メイン基板からコマンドを受けることなく、サブ基板のバックアップ情報に基づき電源断直前の状態に復帰するようにしたので、電源投入時において表示情報をメイン基板からサブ基板へ送信せずにすみ、したがって、電源投入時のコマンドのスタック数を削減することができる。これにより、スタックの容量を削減することができる。
【図面の簡単な説明】
【００１４】
【図１】前扉を閉めた状態を示すスロットマシンの正面図である。
【図２】前扉を１８０度開いた状態を示すスロットマシンの正面図である。
【図３】発明の実施の形態に係るスロットマシンのブロック図である。
【図４】発明の実施の形態に係る処理フローチャートである。
【図５】発明の実施の形態に係る処理の説明図（図４のフローチャートの比較例）である。
【図６】発明の実施の形態に係る他の処理フローチャートである。
【発明を実施するための形態】
【００１５】
図１は前扉を閉めた状態を示すスロットマシンの正面図、図２は前扉を１８０度開いた状態を示すスロットマシンの正面図を示す。
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。
【００１６】
また、前記ゲーム表示部１３１の左下方には、ゲームを開始するためのスタートスイッチ１３４を設けてあり、３つの回胴のそれぞれに対応して３つのストップスイッチ１４０を設けてある。前扉の下端部中央には、メダルの払出し口１３５を設けてある。前記ゲーム表示部１３１の上側には、液晶表示装置ＬＣＤが設けてある。
【００１７】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回胴からなるリール（回胴）ユニット２０３が設置されている。リールユニット２０３は、外周面に複数種類の図柄が配列されている３つの回胴（第１回胴〜第３回胴）を備えている。ゲーム表示部１３１には開口部が設けられていて、それを通して遊技者が前記リールユニット２０３の各回転回胴の図柄を見ることができるようになっている。ホッパ装置１２１の左側には電源部２０５が設けられている。
【００１８】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００１９】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２０】
図３は発明の実施の形態に係るスロットマシン１００の機能ブロック図を示す。
この図において電源系統についての表示は省略されている。図示しないが、スロットマシンは商用電源（ＡＣ１００Ｖ）から直流電源（＋５Ｖなど）を発生するための電源部を備える。
スロットマシン１００は、その主要な処理装置としてメイン基板（処理部）１０とこれからコマンドを受けて動作するサブ基板２０とを備える。なお、少なくともメイン基板１０は、外部から接触不能となるようにケース内部に収容され、これら基板を取り外す際に痕跡が残るように封印処理が施されている。
【００２１】
メイン基板１０は、遊技者の操作を受けて内部抽選を行ったり、回胴の回転・停止やメダルの払い出しなどの処理を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２２】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００２３】
メイン基板１０には、ベットスイッチＢＥＴ、スタートスイッチ１３４，ストップボタン１４０，リール（回胴）ユニット２０３、ホッパ駆動部８０、ホッパ８１及びホッパ８１から払い出されたメダルの枚数を数えるためのメダル検出部８２（これら８０、８１、８２は前述のホッパ装置１２１を構成する）が接続されている。サブ基板２０には液晶表示装置の制御用の液晶制御基板２００、スピーカ基板２０１、ＬＥＤ基板２０２などの周辺基板（ローカル基板）が接続されている。
【００２４】
液晶制御基板２００には、図１の液晶表示装置ＬＣＤが接続されている。なお、これ以降の説明において、特に断らない限り、液晶表示装置ＬＣＤは液晶制御基板２００と液晶表示装置ＬＣＤの両方を指すものとする（別の言い方をすれば、液晶表示装置ＬＣＤは液晶制御基板２００を含むものとする）。
【００２５】
メイン基板１０には、さらに、メダルセレクタ１のメダルセンサＳ１及びＳ２が接続されている。
【００２６】
メダルセレクタ１には、メダルを計数するためのメダルセンサＳ１及びＳ２が設けられている。メダルセンサＳ１及びＳ２は、メダルセレクタ１に設けられた図示しないメダル通路の下流側（出口近傍）に設けられている（メダル通路の上流側はメダル投入口１３２に連通している）。２つのメダルセンサＳ１とＳ２は、メダルの進行方向に沿って所定間隔を空けて並べて設けられている。メダルセンサＳ１、Ｓ２は、例えば、互いに対向した発光部と受光部とを有して断面コ字状に形成され、その検出光軸をメダル通路内に上方から臨ませて位置するフォトインタラプタである。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。
【００２７】
リールユニット２０３は、３つの回胴４０ａ〜４０ｃと、これらをそれぞれ回転させるステッピングモータ１５５ａ〜１５５ｃと、それらの位置をそれぞれ検出する回胴位置検出器１５９ａ〜１５９ｃとを備える（なお、ステッピングモータ１５５ａ〜１５５ｃを単にモータ１５５あるいはモータと記すことがある）。
【００２８】
ホッパ駆動部８０は、ホッパ８１を回転駆動して、メイン基板１０によって指示された払出数のメダルを払い出す動作を行う。遊技機は、メダルを１枚払い出す毎に作動するメダル検出部８２を備えており、メイン基板１０は、メダル検出部８２からの入力信号に基づいてホッパ８１から実際に払い出されたメダルの数を管理することができる。
【００２９】
投入受付手段１０５０は、メダルセレクタ１のメダルセンサＳ１とＳ２の出力を受け、遊技毎にメダルの投入を受け付けて、規定投入数に相当するメダルが投入されたことに基づいて、スタートスイッチ１３４に対する第１回胴〜第３回胴の回転開始操作を許可する処理を行う。なお、スタートスイッチ１３４の押下操作が、第１回胴〜第３回胴の回転を開始させる契機となっているとともに、内部抽選を実行する契機となっている。また、遊技状態に応じて規定投入数を設定し、通常状態およびボーナス成立状態では規定投入数を３枚に設定し、ボーナス状態では規定投入数を１枚に設定する。
【００３０】
メダルが投入されると、遊技状態に応じた規定投入数を限度として、投入されたメダルを投入状態に設定する。あるいは、遊技機にメダルがクレジットされた状態で、ベットスイッチＢＥＴが押下されると、遊技状態に応じた規定投入数を限度して、クレジットされたメダルを投入状態に設定する。メダルの投入を受け付けるかどうかは、メイン基板１０が制御する。スタートスイッチ１３４が押下され各回胴の回転が開始した時点（遊技開始時点）から３つのストップスイッチ１４０が押下され各回胴の回転が停止した時点（入賞した場合はメダル払い出しが完了した時点）（遊技終了時点）の間であって、メダルの投入を受け付ける状態になっていないときは（許可されていないときは）、メダルを投入してもメダルセンサＳ１、Ｓ２でカウントされず、そのまま返却される。同様に、メイン基板１０は、メダルの投入を受け付ける状態か否かに応じて、ベットスイッチＢＥＴの有効／無効を制御する。また、前記遊技終了時点から前記遊技開始時点までの間でベットスイッチＢＥＴは有効となるが、これ以外の期間においては（ＢＥＴスイッチの押下が許可されていないときは）、ベットスイッチＢＥＴを押下しても、それは無視される。
【００３１】
メイン基板１０は、乱数発生手段１１００を内蔵する。乱数発生手段１１００は、抽選用の乱数値を発生させる手段である。乱数値は、例えば、インクリメントカウンタ（所定のカウント範囲を循環するように数値をカウントするカウンタ）のカウント値に基づいて発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００３２】
内部抽選手段１２００は、遊技者がスタートスイッチ１３４からのスタート信号に基づいて、役の当否を決定する内部抽選を行う。すなわち、メイン基板１０のメモリ（図示せず）に記憶されている抽選テーブル（図示せず）を選択する抽選テーブル選択処理、乱数発生手段１１００から得た乱数の当選を判定する乱数判定処理、当選の判定結果で大当たりなどに当選したときにその旨のフラグを設定する抽選フラグ設定処理などを行う。
【００３３】
抽選テーブル選択処理では、図示しない記憶手段（ＲＯＭ）に格納されている複数の抽選テーブル（図示せず）のうち、いずれの抽選テーブルを用いて内部抽選を行うかを決定する。抽選テーブルでは、複数の乱数値（例えば、０〜６５５３５の６５５３６個の乱数値）のそれぞれに対して、リプレイ、小役（ベル、チェリー）、レギュラーボーナス（ＲＢ：ボーナス）、およびビッグボーナス（ＢＢ：ボーナス）などの各種の役が対応づけられている。また、遊技状態として、通常状態、ボーナス成立状態、およびボーナス状態が設定可能とされ、さらにリプレイの抽選状態として、リプレイ無抽選状態、リプレイ低確率状態、リプレイ高確率状態が設定可能とされる。
【００３４】
乱数判定処理では、スタートスイッチ１３４からのスタート信号に基づいて、遊技毎に前記乱数発生手段（図示せず）から乱数値（抽選用乱数）を取得し、取得した乱数値について前記抽選テーブルを参照して役に当選したか否かを判定する。
【００３５】
抽選フラグ設定処理では、乱数判定処理の結果に基づいて、当選したと判定された役の抽選フラグを非当選状態（第１のフラグ状態、オフ状態）から当選状態（第２のフラグ状態、オン状態）に設定する。２種類以上の役が重複して当選した場合には、重複して当選した２種類以上の役のそれぞれに対応する抽選フラグが当選状態に設定される。抽選フラグの設定情報は、記憶手段（ＲＡＭ）に格納される。
【００３６】
入賞するまで次回以降の遊技に当選状態を持ち越し可能な抽選フラグ（持越可能フラグ）と、入賞の如何に関わらず次回以降の遊技に当選状態を持ち越さずに非当選状態にリセットされる抽選フラグ（持越不可フラグ）とが用意されていることがある。この場合、前者の持越可能フラグが対応づけられる役としては、レギュラーボーナス（ＲＢ）およびビッグボーナス（ＢＢ）があり、それ以外の役（例えば、小役、リプレイ）は後者の持越不可フラグに対応づけられている。
【００３７】
すなわち抽選フラグ設定処理では、内部抽選でレギュラーボーナスに当選すると、レギュラーボーナスの抽選フラグの当選状態を、レギュラーボーナスが入賞するまで持ち越す処理を行い、内部抽選でビッグボーナスに当選すると、ビッグボーナスの抽選フラグの当選状態を、ビッグボーナスが入賞するまで持ち越す処理を行う。このときメイン基板１０は、内部抽選機能により、レギュラーボーナスやビッグボーナスの抽選フラグの当選状態が持ち越されている遊技でも、レギュラーボーナスおよびビッグボーナス以外の役（小役およびリプレイ）についての当否を決定する内部抽選を行っている。すなわち抽選フラグ設定処理では、レギュラーボーナスの抽選フラグの当選状態が持ち越されている遊技において、内部抽選で小役あるいはリプレイが当選した場合には、既に当選しているレギュラーボーナスの抽選フラグと内部抽選で当選した小役あるいはリプレイの抽選フラグとからなる２種類以上の役に対応する抽選フラグを当選状態に設定し、ビッグボーナスの抽選フラグの当選状態が持ち越されている遊技において、内部抽選で小役あるいはリプレイが当選した場合には、既に当選しているビッグボーナスの抽選フラグと内部抽選で当選した小役あるいはリプレイの抽選フラグとからなる２種類以上の役に対応する抽選フラグを当選状態に設定する。
【００３８】
回胴制御手段１３００は、遊技者のスタートスイッチ１３４の押下操作（回転開始操作）によるスタート信号に基づいて、第１回胴〜第３回胴をステッピングモータにより回転駆動させ、第１回胴〜第３回胴の回転速度が所定速度（約８０ｒｐｍ：１分間あたり約８０回転となる回転速度）に達した状態において回転中の回胴にそれぞれ対応する３つのストップボタン１４０の押下操作（停止操作）を許可する制御を行うとともに、ステッピングモータにより回転駆動されている第１回胴〜第３回胴を抽選フラグの設定状態（内部抽選の結果）に応じて停止させる制御を行う。
【００３９】
また、回胴制御手段１３００は、３つのストップボタン１４０に対する押下操作（停止操作）が許可（有効化）された状態において、遊技者が３つのストップボタン１４０を押下することにより、その回胴停止信号に基づいて、リールユニット２０３のステッピングモータへの駆動パルス（モータ駆動信号）の供給を停止することにより、第１回胴〜第３回胴の各回胴を停止させる制御を行う。
【００４０】
すなわち、回胴制御手段１３００は、３つのストップボタン１４０の各ボタンが押下される毎に、第１回胴〜第３回胴のうち押下されたボタンに対応する回胴の停止位置を決定して、決定された停止位置で回胴を停止させる制御を行っている。具体的には、記憶手段（ＲＯＭ）に記憶されている停止制御テーブル（図示せず）を参照して３つのストップボタンの押下タイミングや押下順序等（停止操作の態様）に応じた第１回胴〜第３回胴の停止位置を決定し、決定された停止位置で第１回胴〜第３回胴を停止させる制御を行う。
【００４１】
ここで停止制御テーブルでは、ストップボタン１４０の作動時点における第１回胴〜第３回胴の位置（押下検出位置）と、第１回胴〜第３回胴の実際の停止位置（または押下検出位置からの滑りコマ数）との対応関係が設定されている。抽選フラグの設定状態に応じて、第１回胴〜第３回胴の停止位置を定めるための停止制御テーブルが用意されることもある。
【００４２】
遊技機では、リールユニット２０３がフォトセンサからなるインデックスセンサを備えており、回胴制御手段１３００は、回胴が１回転する毎にインデックスセンサで検出される基準位置信号に基づいて、回胴の基準位置（インデックスセンサによって検出されるコマ）からの回転角度（ステップモータの回転軸の回転ステップ数）を求めることによって、現在の回胴の回転状態を監視することができるようになっている。すなわち、メイン基板１０は、ストップスイッチ１４０の作動時における回胴の位置を、回胴の基準位置からの回転角度を求めることにより得ることができる。
【００４３】
回胴制御手段１３００は、いわゆる引き込み処理と蹴飛ばし処理とを回胴を停止させる制御として行っている。引き込み処理とは、抽選フラグが当選状態に設定された役に対応する図柄が有効な入賞判定ライン上に停止するように（当選した役を入賞させることができるように）回胴を停止させる制御処理である。一方蹴飛ばし処理とは、抽選フラグが非当選状態に設定された役に対応する図柄が有効な入賞判定ライン上に停止しないように（当選していない役を入賞させることができないように）回胴を停止させる制御処理である。すなわち本実施形態の遊技機では、上記引き込み処理及び蹴飛ばし処理を実現させるべく、抽選フラグの設定状態、ストップボタン１４０の押下タイミング、押下順序、既に停止している回胴の停止位置（表示図柄の種類）などに応じて各回胴の停止位置が変化するように停止制御テーブルが設定されている。このように、メイン基板１０は、抽選フラグが当選状態に設定された役の図柄を入賞の形態で停止可能にし、一方で抽選フラグが非当選状態に設定された役の図柄が入賞の形態で停止しないように第１回胴〜第３回胴を停止させる制御を行っている。
【００４４】
遊技機では、第１回胴〜第３回胴が、ストップボタン１４０が押下された時点から１９０ｍｓ以内に、押下されたストップボタンに対応する回転中の回胴を停止させる制御状態に設定されている。すなわち回転している各回胴の停止位置を決めるための停止制御テーブルでは、ストップボタン１４０の押下時点から各回胴が停止するまでに要するコマ数が０コマ〜４コマの範囲（所定の引き込み範囲）で設定されている。
【００４５】
入賞判定手段１４００は、第１回胴〜第３回胴の停止態様に基づいて、役が入賞したか否かを判定する処理を行う。具体的には、記憶手段（ＲＯＭ）に記憶されている入賞判定テーブルを参照しながら、第１回胴〜第３回胴の全てが停止した時点で入賞判定ライン上に表示されている図柄組合せが、予め定められた役の入賞の形態であるか否かを判定する。
【００４６】
入賞判定手段１４００は、その判定結果に基づいて、入賞時処理を実行する。入賞時処理としては、例えば、小役が入賞した場合にはホッパ８１を駆動してメダルの払出制御処理が行われるか、あるいはクレジットが増加され（規定の最大枚数例えば５０枚まで増加され、それを超えた分だけ実際にメダル払い出される）、リプレイが入賞した場合にはリプレイ処理が行われ、ビッグボーナスやレギュラーボーナスが入賞した場合には遊技状態を移行させる遊技状態移行制御処理が行われる。
【００４７】
払出制御手段１５００は、遊技結果に応じたメダルの払い出しに関する払出制御処理を行う。具体的には、小役が入賞した場合に、役毎に予め定められている配当に基づいて遊技におけるメダルの払出数を決定し、決定された払出数に相当するメダルを、ホッパ駆動部８０でホッパ８１を駆動して払い出させる。この際に、ホッパ８１に内蔵される図示しないモータに電流が流れることになる。
【００４８】
メダルのクレジット（内部貯留）が許可されている場合には、ホッパ８１によって実際にメダルの払い出しを行う代わりに、記憶手段（ＲＡＭ）のクレジット記憶領域（図示省略）に記憶されているクレジット数（クレジットされたメダルの数）に対して払出数を加算するクレジット加算処理を行って仮想的にメダルを払い出す処理を行う。
【００４９】
リプレイ処理手段１６００は、リプレイが入賞した場合に、次回の遊技に関して遊技者の所有するメダルの投入を要さずに前回の遊技と同じ準備状態に設定するリプレイ処理（再遊技処理）を行う。リプレイが入賞した場合には、遊技者の手持ちのメダル（クレジットメダルを含む）を使わずに前回の遊技と同じ規定投入数のメダルが自動的に投入状態に設定される自動投入処理が行われ、遊技機が前回の遊技と同じ入賞判定ラインを有効化した状態で次回の遊技における回転開始操作（遊技者によるスタートスイッチ１３４の押下操作）を待機する状態に設定される。リプレイの抽選状態として、リプレイが内部抽選の対象から除外されるリプレイ無抽選状態、リプレイの当選確率が約１／７．３に設定されるリプレイ低確率状態、およびリプレイの当選確率が約１／６に設定されるリプレイ高確率状態という複数種類の抽選状態を設定可能とされている。リプレイの抽選状態を変化させることにより、内部抽選におけるリプレイの当選確率を変動させる。
【００５０】
また、メイン基板１０は、通常状態、ボーナス成立状態、およびボーナス状態の間で遊技状態を移行させる制御を行うことがある（遊技状態移行制御機能）。遊技状態の移行条件は、１の条件が定められていてもよいし、複数の条件が定められていてもよい。複数の条件が定められている場合には、複数の条件のうち１の条件が成立したこと、あるいは複数の条件の全てが成立したことに基づいて、遊技状態を他の遊技状態へ移行させることができる。
【００５１】
通常状態は、複数種類の遊技状態の中で初期状態に相当する遊技状態で、通常状態からはボーナス成立状態への移行が可能となっている。ボーナス成立状態は、内部抽選でビッグボーナスあるいはレギュラーボーナスに当選したことを契機として移行する遊技状態である。ボーナス成立状態では、通常状態における内部抽選でビッグボーナスが当選した場合、ビッグボーナスが入賞するまでビッグボーナスに対応する抽選フラグが当選状態に維持され、通常状態における内部抽選でレギュラーボーナスが当選した場合、レギュラーボーナスが入賞するまでレギュラーボーナスに対応する抽選フラグが当選状態に維持される。ボーナス状態では、ボーナス遊技によって払い出されたメダルの合計数により終了条件が成立したか否かを判断し、入賞したボーナスの種類に応じて予め定められた払出上限数を超えるメダルが払い出されると、ボーナス状態を終了させて、遊技状態を通常状態へ復帰させる。
【００５２】
メイン基板１０は、内部抽選処理を含む遊技に係る制御を実行するとともに予め定められたコマンドを生成してサブ基板２０へ送信するが、生成されたコマンドは、コマンドスタック１７００に一時的に格納される。コマンドスタック１７００は、メインメモリ（ＲＡＭ）の一部に設けられている。
【００５３】
メイン基板１０が生成して送信するコマンドには、ベット枚数やクレジット枚数（表示情報）を表示させるためのコマンドが含まれる。サブ基板２０は、メイン基板１０からの当該コマンドに従い、ベット枚数やクレジット枚数を中部表示部２０３ｂに表示する（中部表示部２０３ｂを備えないときは、液晶表示装置ＬＣＤに表示することもある。以下、中部表示部２０３ｂで表示する場合を例に取り説明を加える）。表示デバイス２０３は、図３に示すように、７セグメントＬＥＤなどから構成される中部表示部２０３ｂ（あるいは液晶表示装置ＬＣＤ）と、サブ基板２０の制御に従い中部表示部２０３ｂに所定の表示を行わせる中部スレーブ基板２０３ａとを含む。中部表示部２０３ｂは、例えば、前扉１３０のゲーム表示部１３１の下側に設けられている（図示せず）。
なお、メイン基板１０も、７セグメントＬＥＤなどから構成される投入枚数クレジット枚数表示部ＤＳＰによりベット枚数やクレジット枚数を表示するが、以下の説明では、専ら表示デバイス２０３、中部表示部２０３ｂによるベット枚数やクレジット枚数の表示について説明する。「ベット枚数やクレジット枚数の表示」とは、中部表示部２０３ｂによるものを指す。遊技機によっては、中部表示部２０３ｂを設けず、液晶表示装置ＬＣＤの画面上にベット枚数やクレジット枚数の表示を行うこともある（図３の点線はその場合の信号の流れを示す）。本明細書において、「表示デバイス」は、７セグメントＬＥＤなどから構成される中部表示部２０３ｂを含む表示デバイスとともに、液晶表示装置ＬＣＤを含む表示デバイスのいずれをも意味するものとする。
ちなみに、ベット枚数やクレジット枚数の表示は重要な情報であり、もともとメイン基板１０がその表示を担当しているが、ベット枚数やクレジット枚数の表示とともに、他の情報（例えば、ＡＴ（ＡＲＴ）の残り回数や、非遊技時に行うその日に行われたＡＴ（ＡＲＴ）の回数等）を表示するために、追加的に表示デバイス２０３、中部表示部２０３ｂが設けられた。投入枚数クレジット枚数表示部ＤＳＰと、中部表示部２０３ｂは、遊技機の前面のそれぞれ別の場所に設けられている（例えば、前者はベットボタン付近の下扉の上面に設けられ、後者は前扉１３０のゲーム表示部１３１の下側に設けられている）。
【００５４】
また、サブ基板２０は、電源断時において予め定められた情報（例えば、電源断直前のベット枚数やクレジット枚数）を保持するためのバックアップメモリ２１を備えている。バックアップメモリ２１はフラッシュメモリなどの不揮発性メモリあるいは電池などによるバックアップ電源を備えるメモリであり、電源断においてもその内容は保持されている。
【００５５】
投入受付手段１０５０がメダル投入を検知すると、メイン基板１０はその枚数を表示させるためのコマンドを生成し、サブ基板２０へ送る。当該コマンドに基づき、サブ基板２０は中部スレーブ基板２０３ａを制御して、投入された枚数を表示させる。あるいは、遊技機にメダルがクレジットされているとき（言い換えれば、クレジット枚数が変化したとき）、メイン基板１０はクレジット枚数を表示させるためのコマンドを生成し、サブ基板２０へ送る。当該コマンドに基づき、サブ基板２０は中部スレーブ基板２０３ａを制御して、クレジット枚数を表示させる。
【００５６】
図４は、発明の実施の形態に係る遊技機の処理フローチャートを示す。同図は、電源オフから電源投入時にかけてのメダルの投入枚数とクレジット枚数の表示制御に関する処理のみを示している。他にも、抽選入賞処理及びこれに関連する表示処理、演出処理があるが、それらは省略している。
【００５７】
以下、図４を参照して遊技機の動作について説明を加える。なお、図４は、設定変更時ではない電源投入であって、しかもメモリクリアされておらず電源断直前の状態に復帰する「正常な」電源投入時に関する処理を示している。設定変更とは次のようなものである。
通常の遊技機は、ＢＢ，ＲＢ、小役等の抽選確率の異なる複数（例えば６つ）の抽選テーブルを予め備える。遊技機の抽選では、それら複数の抽選テーブルの中から１つが設定され、この設定された抽選テーブルに基づいて抽選による当たり／ハズレの判定がなされる。複数の抽選テーブルのうちどれを使用するかに関する設定を変更することを、設定変更と称している。スロットマシンのような遊技機では、設定値（通常１〜６）を変更する場合、遊技機の扉を開け、電源部に設けられた設定変更キースイッチに設定変更キーを挿入して当該キースイッチをオンにした状態で遊技機の電源を投入して設定変更可能な状態にし、設定変更ボタン（押ボタン）を１回押下するごとに、７セグメント表示器などに表示される設定値がインクリメントされて１〜６までの値を循環的に変化させ、所望する設定値が表示器に表示されたところでスタートスイッチを操作することで、所望する設定値を確定させていた。
なお、設定変更などによりメモリクリアが行われた場合は、図４の手順とは異なる。具体的には、設定変更が終了した後に、メイン基板からサブ基板へ情報表示コマンドが送信される。設定変更により、ベットやクレジット等の情報が結果的にクリアされる。
【００５８】
メイン基板１０は、メダルが投入されたこと、あるいはＢＥＴボタンが押下されたこと、小役の入賞による払い出し、リプレイの入賞による自動投入処理、精算などに応じてその管理を行う（Ｓ１）。
【００５９】
メダル投入枚数又はクレジット枚数が変更されたとき、その変更後の表示を行うために、メイン基板１０は所定のメダル情報コマンドを生成し、サブ基板２０へ送る（Ｓ２）。
【００６０】
サブ基板２０は、メダル情報コマンドを受けて、中部スレーブ基板２０３ａへ変更後のメダル投入枚数（ベット枚数）又はクレジット枚数を表示するための情報表示コマンドを送る（Ｓ４）。
【００６１】
中部スレーブ基板２０３ａは、当該コマンドを受けて表示を行う（Ｓ４）。
【００６２】
以上の処理Ｓ１〜Ｓ４は、必要に応じて適宜繰り返し行われる。
【００６３】
ここで、遊技機の電源がオフ（電源断）になったとする（符号ｔ１）。すなわち、ホール店員が遊技機の前扉１３０を開き、内部の電源部２０５に設けられている電源スイッチをオフにする。
【００６４】
電源オフの際に、メイン基板１０及びサブ基板２０ではデータの退避処理が行われる。すなわち、メイン基板１０は、そのメインメモリに存在する遊技に関するデータ（例えば上述したフラグなど）を不揮発性メモリあるいはバックアップ電源の接続されたメモリに退避し（Ｓ５）、サブ基板２０は、少なくともメダル投入枚数及びクレジット枚数に関するデータをバックアップメモリ２１に退避する（Ｓ６）。このメダル投入枚数及びクレジット枚数は、メイン基板１０からのメダル情報コマンドに含まれていた情報である。
【００６５】
遊技機の電源電圧は、電源オフによって直ちに低下するのではなく、一定時間維持される（図４では時刻ｔ１からｔ２にかけて維持される）。その間、電源断であることを所定の通知（電源断予告信号）により知ったメイン基板１０とサブ基板２０は、退避処理Ｓ５，Ｓ６を実行する。その後、電源電圧が低下する。
【００６６】
そして、時刻ｔ３において電源がオンになったとする。
【００６７】
サブ基板２０はバックアップメモリ２１の内容を調べ、バックアップされた情報を読み出す（Ｓ７）。メダル投入枚数及びクレジット枚数に関する読み出した情報を、Ｓ３の情報表示コマンドと同様の形式にして送信する（Ｓ８）。
【００６８】
中部スレーブ基板２０３ａは、当該コマンドを受けて中部表示部２０３ｂに表示を行う（Ｓ９）。Ｓ６〜Ｓ９の処理により、表示部２０３ｂで電源断直前の表示が行われる。ここで、メイン基板１０からコマンドを受けることなく、当該表示が行われることに注意されたい。
【００６９】
他方、メイン基板１０は電源断直前の状態に戻るための復帰処理を行う（Ｓ１０）。この際、サブ基板２０を電源断直前の状態に戻すためのコマンドを作成する。当該コマンドは一旦スタックされる。ここでスタックされるコマンドは、メダル情報コマンドを含まない。当該コマンドがなくても、Ｓ６〜Ｓ９の処理により電源断直前の状態が表示されるからである。
【００７０】
スタックされたコマンドがサブ基板２０へ送信され（Ｓ１１）、サブ基板２０で所定の動作が行われる（Ｓ１２）。
【００７１】
Ｓ７〜Ｓ１２の処理により、時刻ｔ４には電源断直前の状態に復帰する。
【００７２】
発明の実施の形態によれば、サブ基板がベット枚数及びクレジット枚数の表示を制御し、電源断時に、サブ基板がベット枚数及びクレジット枚数の情報をバックアップし、電源投入時に、メイン基板からコマンドを受けることなく、サブ基板のバックアップ情報に基づき電源断直前の状態に復帰するようにしたので、電源投入時においてベット枚数とクレジット枚数のメダル関連の情報をメイン基板からサブ基板へ送信せずにすみ、したがって、コマンドスタックにコマンドが最大積み上がる電源投入時のコマンドのスタック数を削減することができる。これにより、スタック使用量が最大となる電源投入時においてスタック最大使用量が減り、スタックの容量を削減することができるという顕著な効果を奏する。言い換えれば、遊技に関する処理に使用できるメモリ容量を減らさずに済み、プログラム作成時の負担を軽減することができる。
【００７３】
なお、サブ基板がベット枚数及びクレジット枚数の表示を制御しているので、その表示デバイスでＡＲＴ（アシストリプレイタイム）の残り回数を表示するようにしてもよい。
【００７４】
上記効果について、図５を参照してさらに説明を加える。図５は、仮に、サブ基板がベット枚数及びクレジット枚数の情報をバックアップせず、電源投入時に、メイン基板からコマンドを受け、これに基づき電源断直前の状態に復帰するようにしたときの処理フローチャートである。
【００７５】
図４と対比すると、図５は、図４のＳ６：退避処理、Ｓ７：バックアップ情報読み出し、及び、Ｓ８：バックアップ情報送信、を備えない点、並びに、復帰処理後のコマンドにメダル情報コマンドを含むかどうかの点で相違する。
【００７６】
図５の処理によれば、電源断時に、メイン基板１０がベット枚数及びクレジット枚数の情報をバックアップし、電源投入時に、メイン基板１０からコマンドを送り、サブ基板２０は当該コマンドを受けて電源断直前の状態に復帰するようにしている。したがって、電源投入時においてベット枚数とクレジット枚数のメダル関連の情報をメイン基板１０からサブ基板２０へ送信しなければならず、コマンドスタックにコマンドが最大積み上がる電源投入時のコマンドのスタック数を削減することができない。よって、図５の処理では、本発明の実施の形態の効果を奏することができない。
【００７７】
ところで、サブ基板２０でバックアップした情報と、メイン基板１０でバックアップした情報を比較することで、遊技機全体として正しくバックアップ及び復帰の処理ができているかどうか判断するようにしてもよい。このようにすれば、例えば不正行為によりメイン基板１０が交換されたことをサブ基板２０で検知することができ、それを報知することで不正行為を抑止することができるようになる。
【００７８】
そのための処理の一例を図６に示す。図６はサブ基板２０の処理を示す。
【００７９】
Ｓ２０：バックアップ情報を読み出す。
これは、図４のＳ７に相当する。
【００８０】
Ｓ２１：バックアップ情報に基づきベット枚数・クレジット枚数を表示する。
これは、図４のＳ８及びＳ９に相当する。
【００８１】
Ｓ２２：メダル情報コマンドを受けたかどうか判定する。
【００８２】
Ｓ２３：メダル情報コマンドを受けたとき、これが復帰処理時のメダル情報コマンドかどうか判定する。
【００８３】
サブ基板２０が受けるメダル情報コマンドには２種類ある。ひとつは、前述のように遊技処理を行っているときに受けるメダル情報コマンド（図４のＳ２に相当する）であり、もうひとつは、復帰処理に関連して受けるメダル情報コマンド（図５のＳ１１’に相当する）である。後者のコマンドを受けたときに、Ｓ２４〜Ｓ２６の処理を実行する。
【００８４】
なお、図５のように復帰処理時にコマンドを生成するとスタックが大きくなり好ましくないから、復帰処理が終了した時点、言い換えればスタックにあるコマンドが少なくなったときにバックアップされていたメダル情報コマンドを送るようにしてもよい。このようにすればスタック容量の問題は生じない。また、メダル情報コマンドの送信が遅れても、図４のＳ６〜Ｓ９の処理によりベット枚数及びクレジット枚数の表示は行われているので、表示の遅れという問題も生じない。
【００８５】
Ｓ２４：バックアップ情報とメダル情報コマンドを比較する。
【００８６】
Ｓ２５：ベット枚数及びクレジット枚数が一致しているかどうか判定する。
メイン基板１０でバックアップされた内容と、サブ基板２０でバックアップされた内容は同じであり、Ｓ２５で一致という判定がなされるはずである。
【００８７】
しかし、不一致である場合は、何らかのトラブルが生じている可能性がある。例えば（１）メイン基板１０又はサブ基板２０のバックアップ機構に問題が生じている（例えば、バックアップ電源が劣化し、電源断時に所定の電圧を維持できなかった）、（２）不正行為によりメイン基板１０が交換された、などのトラブルである。
【００８８】
Ｓ２６：Ｓ２５でＮＯ（不一致）であるとき、エラー報知を行う。例えば、液晶表示装置ＬＣＤにその旨の表示を行う、及び／又は、いわゆるホールコンピューターへその旨の通知を行う。
これにより、例えば上記（１）（２）のトラブルをホール店員などに知らせることができる。
【００８９】
なお、本発明の実施の形態は、パチンコ機にも適用できる。
【００９０】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【００９１】
１０    メイン基板
１７００    コマンドスタック
２０    サブ基板
２１    バックアップメモリ
２０３    表示デバイス
２０３ａ  中部スレーブ基板
２０３ｂ  中部表示部
【図１】
0005776921.tif 000002
【図２】
0005776921.tif 000003
【図３】
0005776921.tif 000004
【図４】
0005776921.tif 000005
【図５】
0005776921.tif 000006
【図６】
0005776921.tif 000007